(57)【特許請求の範囲】
【請求項１】
内部に塵埃捕集部が形成される集塵容器と、
前記集塵容器に収容される塵埃分離部と、
前記塵埃分離部に結合されて前記塵埃捕集部を選択的に開閉させ、塵埃の排出時に前記塵埃分離部とともに前記集塵容器から分離されるカバー部材と、が含まれる塵埃分離装置であって、
前記塵埃捕集部は、第１塵埃捕集部と第２塵埃捕集部とが含まれ、前記塵埃分離部から分離された塵埃は、前記第１塵埃捕集部に捕集され、
前記塵埃分離部は、前記集塵容器に収容された状態で前記第１塵埃捕集部と第２塵埃捕集部とに区画し、
第１塵埃捕集部と第２塵埃捕集部を区画する別途の外壁が備えられず、前記塵埃分離部の外壁で前記集塵容器の内部が前記第１塵埃捕集部と第２塵埃捕集部に区画される塵埃分離装置。
【請求項２】
前記第１塵埃捕集部と第２塵埃捕集部とをシーリングするシーリング部材がさらに含まれる請求項１に記載の塵埃分離装置。
【請求項３】
前記第２塵埃捕集部は、前記第１塵埃捕集部の外側に形成される請求項１に記載の塵埃分離装置。
【請求項４】
前記集塵容器には、前記塵埃分離部が固着されるための顎部が形成される請求項１に記載の塵埃分離装置。
【請求項５】
前記顎部は、丸くなるように形成される請求項４に記載の塵埃分離装置。
【請求項６】
前記カバー部材は、前記第１塵埃捕集部と前記第２塵埃捕集部を同時に開閉させる請求項１に記載の塵埃分離装置。
【請求項７】
前記塵埃分離部は、第１塵埃分離部であり、
前記集塵容器の外側には、前記第２塵埃捕集部と選択的に連通する第２塵埃分離部が設けられ、
前記第２塵埃分離部から分離された塵埃は、前記第２塵埃捕集部に捕集される請求項１乃至６のうちの何れか１項に記載の塵埃分離装置。
【請求項８】
前記塵埃分離部の下側には、前記第１塵埃捕集部に捕集された塵埃の飛散を防止する飛散防止部材が備えられ、前記飛散防止部材には、前記塵埃分離部から分離された塵埃が排出される開口部が形成される請求項１乃至６のうちの何れか１項に記載の塵埃分離装置。
【請求項９】
内部に塵埃捕集部が形成される集塵容器と、
前記集塵容器に収容され、前記集塵容器に収容された状態で前記塵埃捕集部を複数の塵埃捕集部に区画する第１塵埃分離部と、
前記第１塵埃分離部に結合され、前記複数の塵埃捕集部を選択的に開閉させるカバー部材と、
前記集塵容器が選択的に装着される掃除機本体と、が含まれる真空掃除機であって、
前記複数の塵埃捕集部は、第１塵埃捕集部と第２塵埃捕集部とが含まれ、前記第１塵埃分離部から分離された塵埃は、前記第１塵埃捕集部に捕集され、
前記第１塵埃分離部は、前記集塵容器に収容された状態で前記第１塵埃捕集部と第２塵埃捕集部とに区画し、
第１塵埃捕集部と第２塵埃捕集部を区画する別途の外壁が備えられず、前記第１塵埃分離部の外壁で前記集塵容器の内部が前記第１塵埃捕集部と第２塵埃捕集部に区画される真空掃除機。
【請求項１０】
前記掃除機本体に備えられて、前記第２塵埃捕集部と選択的に連通する第２塵埃分離部がさらに含まれ、
前記第２塵埃分離部から分離された塵埃は、前記第２塵埃捕集部に捕集される請求項９に記載の真空掃除機。
【請求項１１】
前記第１塵埃捕集部と第２塵埃捕集部とをシーリングするシーリング部材がさらに含まれる請求項９に記載の真空掃除機。
【請求項１２】
前記集塵容器には、前記第１塵埃分離部が固着される顎部が形成され、
前記顎部は、丸くなるように形成される請求項９に記載の真空掃除機。
【発明の詳細な説明】
【技術分野】
【０００１】
本発明は、真空掃除機及びその塵埃分離装置に関し、詳細には、集塵された塵埃が容易に排出されるようにする塵埃分離装置及びこれを備えた真空掃除機に関する。
【背景技術】
【０００２】
一般に、真空掃除機は、本体の内部に装着される吸込モータによって発生する真空圧を利用して、塵埃が含まれている空気を吸い込んだ後、本体の内部で塵埃をフィルタリングする装置である。
かかる真空掃除機は、大きく吸込口であるノズル部が本体と別途に備えられて、連結管によって連結されるキャニスタ方式と、ノズル部が本体と一体に形成されるアップライト方式に区別することができる。
【０００３】
一方、従来の真空掃除機は、掃除機本体と、本体に流入した空気から分離された塵埃が捕集される集塵装置とを含む。
そして、集塵装置は、内部に捕集された塵埃を排出するために、掃除機本体から分離できるように装着される。
【０００４】
しかしながら、従来では、集塵装置に捕集された塵埃を除塵するために、集塵装置を掃除機本体から分離する過程、又は集塵装置内部の塵埃を排出する過程で室内の再汚染が頻繁に発生した。
このように、ユーザが塵埃を除塵する過程で室内が再汚染されると、ユーザは、雑巾や真空掃除機を利用して再度掃除する作業を行わなければならないという問題が発生する。
【０００５】
したがって、ユーザが集塵装置の内部に集塵された塵埃を排出するとき、室内空間が再汚染されることが防止され、塵埃の排出が容易な構造を有する集塵装置の開発が要求される。
【発明の開示】
【発明が解決しようとする課題】
【０００６】
本発明は、上述の問題点に鑑みてなされたもので、その目的は、ユーザが集塵装置内部に捕集された塵埃が容易に排出されるようにして、ユーザの便宜性を増大させる真空掃除機及びその塵埃分離装置を提案することにある。
また、本発明の他の目的は、集塵装置に捕集された塵埃が集塵装置から容易に排出されるようにし、塵埃の排出過程で室内の再汚染が防止されるようにする真空掃除機及びその塵埃分離装置を提案することにある。
【課題を解決するための手段】
【０００７】
上記の目的を達成すべく、本発明の真空掃除機の塵埃分離装置は、内部に塵埃捕集部が形成される集塵容器と、集塵容器に収容される塵埃分離部と、塵埃分離部に結合されて塵埃捕集部を選択的に開閉させ、塵埃の排出時に塵埃分離部とともに集塵容器から分離されるカバー部材と、が含まれる。
【０００８】
また、上記の目的を達成すべく、本発明の真空掃除機は、内部に複数の塵埃捕集部が形成される集塵容器と、複数の塵埃捕集部のうち、第１塵埃捕集部に収容される第１塵埃分離部と、第１塵埃分離部に結合され、複数の塵埃捕集部を選択的に開閉させるカバー部材と、集塵容器が選択的に装着される掃除機本体が含まれる。
【０００９】
また、上記の目的を達成すべく、本発明の真空掃除機は、内部に塵埃捕集部が形成される集塵容器と、集塵容器に収容され、集塵容器に収容された状態で塵埃捕集部を複数の塵埃捕集部に区画する第１塵埃分離部と、第１塵埃分離部に結合され、複数の塵埃捕集部を選択的に開閉させるカバー部材と、集塵容器が選択的に装着される掃除機本体と、が含まれる。
【発明の効果】
【００１０】
本発明によると、塵埃を集塵する集塵装置が密閉された状態で掃除機本体から分離され、ユーザーの望む位置で上部カバー（カバー部材に相当する）を開放すると、集塵容器の上部が完全に開放されるので、室内の再汚染が防止されて、使用者の便宜性が向上する。
【００１１】
また、第１サイクロン部は、集塵容器の内部に提供され、第２サイクロン部は、掃除機本体に設けられて、集塵容器に集塵された塵埃を排出するとき、集塵容器のみが掃除機本体から分離されるので、集塵容器の重さが減少し、使用が簡便であるという利点がある。
【００１２】
また、集塵容器の上部に備えられる上部カバーが第１塵埃捕集部と第２塵埃捕集部を同時に開閉するので、塵埃の排出が容易であるという利点がある。
【００１３】
また、第１塵埃捕集部と第２塵埃捕集部が、上部カバーとともに分離される第１サイクロン部の外壁により区画されるので、集塵容器の内部を掃除するとき、内部構造物による干渉が防止されて、集塵容器の掃除が容易であるという利点がある。
【発明を実施するための最良の形態】
【００１４】
以下では、添付される図面を参照して、本発明の具体的な実施の形態を説明する。
図１は、本発明の実施の形態に係る真空掃除機の本体と集塵装置とを分離して示した斜視図であり、図２は、本実施の形態の真空掃除機の内部構造を集塵装置が真空掃除機の本体に結合された状態で示す斜視図であり、図３は、一形態に係る集塵装置の内部構成を概略的に示した断面図である。
【００１５】
図１〜図２に示すように、本発明の実施の形態に係る真空掃除機は、内部に吸込力を発生させる駆動装置１１０が備えられる掃除機本体１００と、吸い込まれた空気中に含まれた塵埃を分離して捕集する塵埃分離手段とが含まれる。
そして、図示していないが、塵埃が含まれた空気を吸い込む吸込ノズルと、吸込ノズルが掃除機本体１００に連結されるようにする連結管がさらに含まれて構成される。
本実施の形態において、吸込ノズル及び連結管の基本的な構成は、従来と同様なので、これに対する詳細な説明は省略する。
【００１６】
掃除機本体１００の前面の下端には、吸込ノズルと連通する本体吸込部１２０が備えられ、掃除機本体１００の一側面には、集塵装置を経て塵埃が分離された空気が排出される本体排出部１９０が備えられる。
駆動装置１１０は、吸込ノズルに外部の空気が吸い込まれるように、空気吸込力を発生させる吸込モータを含む。
【００１７】
塵埃分離装置は、内部に流入される空気中に含まれた塵埃を一次的に分離する第１サイクロン部（塵埃分離部、第１塵埃分離部に相当）が備えられる集塵装置２００と、第１サイクロン部によって一次的に塵埃が分離された空気から再度塵埃が分離されるようにし、掃除機本体１００に備えられる第２サイクロン部３００（第２塵埃分離部に相当）とで構成される。
第２サイクロン部３００は、集塵装置２００が掃除機本体１００に装着されることによって、集塵装置２００と連通する。
【００１８】
そして、集塵装置２００は、内部に流入される空気中に含まれた塵埃を分離する第１サイクロン部２３０と、第１サイクロン部２３０と分離可能に結合される集塵容器２１０が含まれる。
第１サイクロン部２３０は、集塵容器２１０の内部に脱着可能に収容され、円筒形状の外壁を有することが好ましい。ここで、第１サイクロン部２３０は、塵埃が含まれた空気が第２サイクロン部３００に流入される前に、空気に含まれた塵埃を一次的に分離する機能を果たす。
【００１９】
一方、集塵容器２１０の側面の上部には、第１空気吸込部２２１が備えられ、第１空気吸込部２２１を介して第１サイクロン部２３０の内部に流入される空気は、第１サイクロン部２３０の内壁に沿って螺旋流動をするようになる。ここで、第１空気吸込部２２１を介して吸い込まれた空気が第１サイクロン部２３０に流入されるために、第１サイクロン部２３０には、第１空気吸込部２２１と対応する位置に吸込口（図示せず）が形成されることはもちろんである。
【００２０】
そして、集塵容器２１０は、第１サイクロン部２３０と第２サイクロン部３００によって分離された塵埃を捕集するように構成される。
集塵容器２１０は、第１サイクロン部２３０によって分離された塵埃が捕集される第１塵埃捕集部２１４と、第２サイクロン部３００によって分離された塵埃が捕集される第２塵埃捕集部２１６とが含まれる。
【００２１】
そして、第２塵埃捕集部２１６は、集塵装置２００が掃除機本体１００に装着されることにより、第２サイクロン部３００と連通する。そして、第２サイクロン部３００から分離された塵埃は、塵埃流入口２１７を介して第２塵埃捕集部２１６に流入される。
【００２２】
ここで、第２塵埃捕集部２１６は、集塵容器２１０の内部に形成されず、集塵容器２１０から分離されて形成されることができる。
但し、本実施の形態では、第２塵埃捕集部２１６が第１塵埃捕集部２１４とともに、集塵容器２００の内部に形成されることが提示される。
【００２３】
集塵容器２１０は、第１塵埃捕集部２１４を形成する第１壁２１１と、第１壁２１１との関係で第２塵埃捕集部２１６を形成する第２壁２１２とが含まれる。
すなわち、第２壁２１２は、第１壁２１１の所定部分を取り囲むように形成される。したがって、第２塵埃捕集部２１６は、第１塵埃捕集部２１４の外側に形成される。
このように、第２塵埃捕集部２１６が第１塵埃捕集部２１４の外側に備えられることによって、第１塵埃捕集部２１４の大きさを最大化させることができ、第１塵埃捕集部２１４の集塵容量が最大になるという利点がある。
【００２４】
一方、ユーザが集塵容器２１０をひっくり返して塵埃を除塵し得るように、集塵容器２１０の上部は開口され、集塵容器２１０の上部には、上部カバー２５０が分離可能に結合される。
そして、集塵容器２１０の内部に集塵された塵埃を排出するとき、上部カバー２５０と第１サイクロン部２３０が集塵容器２１０から共に分離され得るように、上部カバー２５０は、第１サイクロン部２３０の上側に結合される。
【００２５】
そして、上部カバー２５０には、外周面に所定の大きさの通孔２６２が複数形成された中空型のフィルタ部材２６０が結合される。そして、上部カバー２５０には、フィルタ部材を通過した空気が排出される第１空気排出孔２５２が形成される。
したがって、第１サイクロン部２３０で塵埃分離過程を経た空気は、フィルタ部材２６０を通過した後、第１空気排出孔２５２を介して集塵装置２００の外部に排出される。
【００２６】
ここで、上部カバー２５０は、第１塵埃捕集部２１４と第２塵埃捕集部２１６を同時に開閉する。
したがって、第１塵埃捕集部２１４と第２塵埃捕集部２１６に捕集された塵埃を外部に排出するために、ユーザが第１サイクロン部２３０が結合された上部カバー２５０を集塵容器２１０から分離すると、集塵容器２１０の上端が完全に開放され、ユーザが集塵容器２１０をひっくり返すと、塵埃が容易に排出される。
【００２７】
すなわち、上部カバー２５０が集塵容器２１０から分離されると、第１塵埃捕集部２１４と第２塵埃捕集部２１６の上端が開放され、ユーザが集塵容器２１０をひっくり返すと、塵埃が排出される。
そして、集塵容器２１０を除塵するために、ユーザが上部カバー２５０を集塵容器２１０から分離するとき、ごみ箱や室外で上部カバー２５０を集塵容器２１０から分離するので、室内の再汚染が防止され得る。
【００２８】
上記の構成に加えて、第１塵埃捕集部２１４に捕集された塵埃が空気の螺旋流動により第１サイクロン部２３０に飛散しないように、第１サイクロン部２３０の下側には、飛散防止部材２４０が備えられることが好ましい。
【００２９】
本実施の形態において、飛散防止部材２４０は、第１サイクロン部の底面であるが、これとは異なり、第１サイクロン部２３０に結合されるように構成されることができる。
【００３０】
飛散防止部材２４０には、第１サイクロン部２３０から分離された塵埃を第１塵埃捕集部に排出させる開口部２４２が形成される。
すなわち、第１サイクロン部２３０によって分離された塵埃は、飛散防止部材２４０のエッジに形成された開口部２４２を介して、下方に落下して、第１塵埃捕集部２１４に捕集される。開口部２４２は、飛散防止部材２４０のエッジに円周方向に最小限１つ以上形成されることが好ましい。
【００３１】
そして、集塵容器２１０の外周面には、集塵容器２１０を掃除機本体１００に脱着するか、又は集塵容器２１０を運搬するための集塵容器取っ手２７０が備えられることが好ましい。
【００３２】
一方、第２サイクロン部３００は、掃除機本体１００に形成され、第１サイクロン部２３０を経た空気に含まれた塵埃を再度分離する機能を果たす。
掃除機本体１００には、集塵容器２１０が装着される集塵容器装着部１４０が形成され、集塵容器装着部１４０の上側には、第２サイクロン部３００が形成される。
【００３３】
そして、第２サイクロン部３００は、掃除機本体２００の内部に横たえた状態で配置されることが好ましい。
上述のように、第２サイクロン部３００が掃除機本体１００に横たえた状態で配置されることによって、小型化が要求される真空掃除機において、駆動装置１１０などとの配置関係において空間の活用度を向上させることができる。
【００３４】
本実施の形態では、図２に示すように、第２サイクロン部３００を円筒形の第１サイクロン部２３０の軸（ａｘｉｓ）に略垂直に横たえた状態で設け、第２サイクロン部３００の下側には、駆動装置１１０が提供される。
ここで、第２サイクロン部３００の形状は、多様な形態になり得るが、遠心力により空気に含まれた塵埃が円滑に分離され得るように、回転体の形状からなることが好ましい。本実施の形態において、第２サイクロン部３００の各サイクロンは、コーン（ｃｏｎｅ）形状の本体を含んで構成されることが好ましい。
【００３５】
一方、第１サイクロン部２３０と第２サイクロン部３００との間には、第１サイクロン部２３０と第２サイクロン部３００とを連通させる連通ダクト１７０が備えられる。
連通ダクト１７０の一端は、上部カバー２５０と連結され、連通ダクト１７０の他端は、第２サイクロン部３００の第２空気吸込部（図示せず）に連結される。
【００３６】
そして、集塵装置２００が集塵装置装着部１４０に装着されることによって、第２サイクロン部３００の一側終端を形成する塵埃排出口３０２は、第２塵埃捕集部２１６の塵埃流入口２１７に連結される。
【００３７】
上述のように、本発明においては、第２サイクロン部３００は、掃除機本体１００に備えられ、第２サイクロン部３００によって分離された塵埃を捕集する第２塵埃捕集部２１６のみが集塵容器２１０の内部に形成される。
すなわち、塵埃を除塵するために繰り返し的に脱着される集塵装置２００に第２サイクロン部３００が形成されないため、集塵装置２００の構造が簡単になり、かつ軽量化が可能になる。
【００３８】
一方、第１塵埃捕集部２１４は、ユーザが外部で第１塵埃捕集部２１４に捕集される塵埃の量を肉眼にて確認できるように構成することが好ましい。
このために、第１塵埃捕集部２１４は、その外壁が直接外部に露出し、透明な材質で構成されることが好ましい。これにより、ユーザは、ほとんどの塵埃を捕集する第１塵埃捕集部２１４の内部状態を容易に確認することができるから、塵埃を除塵する時期を容易に決定し得る。
【００３９】
以下では、真空掃除機の作用について説明する。
まず、真空掃除機の駆動装置１１０に電源が供給されると、駆動装置１１０により吸込力が発生し、このような吸込力によって吸込ノズルに塵埃が含まれた空気が吸い込まれる。
吸込ノズルを介して吸い込まれた外部空気は、本体吸込口１２０を経て集塵装置２００の第１空気吸込部２２１に流入される。
【００４０】
第１空気吸込部２２１を介して流入された空気は、第１サイクロン部２３０の内壁に接線方向に案内されて螺旋流を形成し、これにより、空気に含まれた塵埃は、空気との遠心力の差により分離されて下降しながら第１塵埃捕集部２１４に捕集される。そして、第１塵埃捕集部２１４に捕集された塵埃は、飛散防止部材２４０によって上部への飛散が防止される。
【００４１】
そして、第１サイクロン部２３０によって一次的に塵埃が分離された空気は、フィルタ部材２６０と第１空気排出孔２５２を順に通過して上部に移動した後、第１空気排出孔２５２と連通した連通ダクト１７０に沿って第２サイクロン部３００に流動する。
【００４２】
このような空気は、連通ダクト１７０の終端に連結した第２空気吸込部（図示せず）を介して、第２サイクロン部３００をなす複数のサイクロンの内壁に各々接線方向に案内され、第２サイクロン部３００に流入される塵埃は、空気との遠心力差により再度塵埃が分離され、このように分離された塵埃は、第２サイクロン部３００の終端と連結した第２塵埃捕集部２１６に捕集される。
【００４３】
一方、再度塵埃が分離された空気は、第２サイクロン部３００から排出されて、掃除機本体１００の内部に備えられたフィルタ（図示せず）により微細塵埃が最終的に分離されて、駆動装置を通過する。そして、駆動装置を通過した空気は、本体排出部１９０を通過して最終的に掃除機本体１００から排出される。
【００４４】
以後に、ユーザは、集塵装置２００を掃除機本体１００から分離し、第１サイクロン部２３０が結合された上部カバー２５０を集塵容器２１０から分離する。そして、ユーザは、集塵容器２１０をひっくり返して容易に塵埃を除塵する。
【００４５】
図４は、本発明の実施の形態に係る集塵装置の断面図である。
図４に示すように、本実施の形態に係る集塵装置４００は、吸い込まれた空気中に含まれた塵埃を分離する第１サイクロン部４３０と、第１サイクロン部４３０の上側に結合される上部カバー４５０と、上部カバー４５０と着脱可能に結合される集塵容器４１０とが含まれる。
【００４６】
集塵容器４１０は、下側の外観をなし、円筒形状で形成される第１壁４１１と、第１壁４１１の上側に延長され、第１壁４１１が形成する空間より大きい空間を形成する第２壁４１２とが含まれる。
このような第１壁４１１と第２壁４１２との差によって、集塵容器４１０には顎部４１３が形成される。そして、顎部４１３には、第１サイクロン部４３０が固着される。
【００４７】
この時、第１サイクロン部４３０が集塵容器４１０に収容されて顎部４１３に固着されることにより、集塵容器４１０の内部には、第１塵埃捕集部４１４と第２塵埃捕集部４１６が形成される。
すなわち、本実施の形態では、第１塵埃捕集部４１４と第２塵埃捕集部４１６を区画する別途の外壁が備えられず、第１サイクロン部４３０の外壁が各塵埃捕集部４１４、４１６を区画するようにする。
【００４８】
このような構成によれば、第１塵埃捕集部４１４と第２塵埃捕集部４１６に集塵された塵埃を排出するために、第１サイクロン部４３０が結合された上部カバー４５０を集塵容器４１０から分離すると、第１塵埃捕集部４１４と第２塵埃捕集部４１６は互いに連通する。
したがって、集塵容器４１０の内部に別途の区画壁がないので、集塵容器４１０の内部に捕集された塵埃がより容易に排出されることができ、集塵容器４１０の内部の掃除が容易に行われることができる。
【００４９】
ここで、集塵容器４１０には、第１塵埃捕集部４１４と第２塵埃捕集部４１６との間の気密を維持するためのシーリング部材４４０が備えられることが好ましい。
シーリング部材４４０は、顎部４１３又は第１サイクロン部４３０に備えられることができる。
【００５０】
そして、顎部４１３は、所定の曲率で丸くなるように形成されることが好ましい。このような場合、上部カバー４５０を集塵容器４１０から分離させると、第２塵埃捕集部４１６の内部に捕集された塵埃が顎部４１３に沿って第１塵埃捕集部４１４に集まるようになる。そして、ユーザは、集塵容器４１０をひっくり返すことによって、集塵容器に捕集された塵埃を容易に排出させることができるようになる。
特に、集塵容器４１０の上端開口部が第１塵埃捕集部４１４より大きいため、塵埃の排出はさらに容易になる。
【００５１】
図５は、本発明の別の実施の形態に係る真空掃除機の斜視図であり、図６は、本発明の別の実施の形態に係る集塵装置の分解斜視図であり、図７は、集塵装置の内部構成を概略的に示す断面図である。
【００５２】
図５〜図７に示すように、本実施の形態に係る真空掃除機は、掃除機本体５００と掃除機本体５００に装着される集塵装置６００とが含まれる。
掃除機本体５００の前面の下端には、吸込ノズルと連通する本体吸込部５１０が備えられ、掃除機本体５００の一側面には、塵埃が分離された空気が排出される本体排出部（図示せず）が備えられる。
【００５３】
そして、掃除機本体５００の上側には、第２サイクロン部７００が備えられ、集塵装置６００が掃除機本体５００に装着されることによって、第２サイクロン部７００は、集塵装置６００と連通する。
掃除機本体５００の内部の他の構成は、本発明の要部ではないので、それについての繰り返し説明は省略する。
【００５４】
そして、集塵装置６００は、掃除機本体５００の前方部に脱着可能に装着される。このために、掃除機本体５００の前方の上端部には、集塵装置６００の分離のための分離手段５２０が備えられる。
また、掃除機本体５００の上部には、掃除機本体５００の運搬のための本体取っ手５３０が設けられる。
【００５５】
一方、集塵装置６００は、内部に流入される空気中に含まれた塵埃を分離する第１サイクロン部６１０と、第１サイクロン部の上側に結合されるカバー部材６３０と、カバー部材６３０と分離可能に結合される集塵容器６２０とが含まれる。
第１サイクロン部６１０の外周面の上部には、第１空気吸込部６１１が備えられる。そして、第１空気吸込部６１１の内側には、第１空気吸込部６１１を介して第１サイクロン部６１０の内部に流入される空気を、第１サイクロン部６１０の内壁に略接線方向に案内するガイドリブ６１６が備えられる。
【００５６】
そして、集塵容器６２０は、第１サイクロン部６１０によって分離された塵埃が捕集される第１塵埃捕集部６２４と、第２サイクロン部７００によって分離された塵埃が捕集される第２塵埃捕集部６２６とが含まれる。
ここで、集塵容器６２０は、第１塵埃捕集部６２４を形成する第１壁６２１と、第１壁６２１との関係で第２塵埃捕集部６２６を形成する第２壁６２２とが含まれる。
【００５７】
すなわち、第２壁６２２は、第１壁６２１の所定部分を取り囲むように形成される。したがって、第２塵埃捕集部６２６は、第１塵埃捕集部６２４の外側に形成される。
そして、第１壁６２１には、その内部に収容される第１サイクロン部６１０の下端を支持する顎部６２７が円周方向に形成される。したがって、顎部６２７を基準に第１塵埃捕集部６２４を形成する第１壁６２１の上部は、下部より大きい直径を有するようになる。
【００５８】
一方、集塵容器６２０の上端部には、第１サイクロン部６１０の第１空気吸込部６１１が固着されるための溝６２８が形成される。したがって、第１サイクロン部６１０が集塵容器６２０に挿入されると、第１空気吸込部６１１が溝６２８に固着される。
そして、ユーザが集塵容器６２０をひっくり返して塵埃を除塵することができるように、集塵容器６２０は、開口した上端を有し、集塵容器６２０の上部には、上部カバー６３０が分離可能に結合される。
そして、第２サイクロン部７００から分離された塵埃が第２塵埃捕集部６２６に流入されるように、上部カバー６３０には、塵埃流入口６３１が形成される。
【００５９】
上記の構成に加えて、第１塵埃捕集部６２４に捕集された塵埃が第１サイクロン部６１０の内部の螺旋流によって飛散しないように、第１サイクロン部６１０の下側には、飛散防止部材６１４が一体に形成される。
そして、飛散防止部材６１４には、第１サイクロン部６１０から分離された塵埃が第１塵埃捕集部６２４の内部に流入されるようにする開口部６１５が形成される。
【００６０】
また、集塵装置６００は、第１サイクロン部６１０と、第１壁６２１の間に空気が漏れることを防止するためのシーリング部材６４０が備えられることが好ましい。
シーリング部材６４０は、集塵容器６２０と第１サイクロン部６１０のうちの何れか１つに備えられる。一例として、シーリング部材６４０は、集塵容器６２０の顎部６２７又は第１サイクロン部６１０の下側に備えられることができる。
【００６１】
本実施の形態において、シーリング部材６４０は、円筒形の第１サイクロン部６１０の下端枠に沿って備えられて、全体的に環状をなし、顎部６２７に密着して気密性を維持する。
したがって、第１サイクロン部６１０を経ない空気が第１塵埃捕集部６２４に流入されることが防止されて、第１サイクロン部６１０の内部に螺旋流が効果的に形成されることができる。
【００６２】
以上では、本発明に係るキャニスタ方式の真空掃除機を説明したが、本発明は、上述の実施の形態に限定されず、アップライト方式の掃除機やロボット掃除機にも適用できる。
【図面の簡単な説明】
【００６３】
【図１】本発明の実施の形態に係る真空掃除機の本体と集塵装置とを分離して示した斜視図である。
【図２】本発明の実施の形態の真空掃除機の内部構造を集塵装置が本体に結合された状態で示す斜視図である。
【図３】一形態に係る集塵装置の内部構成を概略的に示した断面図である。
【図４】本発明の実施の形態に係る集塵装置の断面図である。
【図５】本発明の別の実施の形態に係る真空掃除機の斜視図である。
【図６】本発明の別の実施の形態に係る集塵装置の分解斜視図である。
【図７】集塵装置の内部構成を概略的に示す断面図である。
【符号の説明】
【００６４】
１００    掃除機本体
１１０    駆動装置
１２０    本体吸込部
１４０    集塵装置装着部
１７０    連通ダクト
１９０    本体排出部
２００    集塵装置
２１０    集塵容器
２３０    第１サイクロン部
２４０    飛散防止部材
２５０    上部カバー
２６０    フィルタ部材
２７０    集塵容器取っ手
３００    第２サイクロン部
４００    集塵装置
４１０    集塵容器
４３０    第１サイクロン部
４４０    シーリング部材
４５０    上部カバー
５００    掃除機本体
５１０    本体吸込部
６００    集塵装置
６１０    第１サイクロン部
６２０    集塵容器
６３０    カバー部材
６４０    シーリング部材
７００    第２サイクロン部
【図１】
0004482009.tif 000002
【図２】
0004482009.tif 000003
【図３】
0004482009.tif 000004
【図４】
0004482009.tif 000005
【図５】
0004482009.tif 000006
【図６】
0004482009.tif 000007
【図７】
0004482009.tif 000008